(57)【要約】【課題】副水路から使用済みの濾布を取り外す際であっても汚染物の流出を防止する。【解決手段】固形物捕捉システム１００は、水とともに固形物が流れる副水路（分割水路１４）に着脱自在に設置され、固形物を捕捉する濾布（フィルタ機能部３２２）と、副水路における濾布の上流側を封止する封止部（封止装置２００）と、を備える。かかる構成により、封止部によって濾布の上流側を封止してから使用済みの濾布を取り外すことができるため、取り外している間に汚染物が農地に流れ込んでしまうという事態を回避できる。【選択図】図１
2016166492.tif 000002
【特許請求の範囲】
【請求項１】
主水路から分岐された、水とともに固形物が流れる副水路に着脱自在に設置され、該固形物を捕捉する濾布と、
前記副水路における前記濾布の上流側を封止する封止部と、
を備えたことを特徴とする固形物捕捉システム。
【請求項２】
前記副水路は、複数の分割水路で構成され、
前記濾布は、前記分割水路ごとに設けられ、
前記封止部は、前記複数の分割水路のうち、少なくともいずれか１の分割水路を封止することを特徴とする請求項１に記載の固形物捕捉システム。
【請求項３】
前記濾布の上流と下流との水位差を導出する水位差導出部を備え、
前記封止部は、前記水位差導出部が導出した水位差が予め定められた閾値以上である場合に、前記濾布が設けられた副水路を封止することを特徴とする請求項１または２に記載の固形物捕捉システム。
【発明の詳細な説明】
【技術分野】
【０００１】
本発明は、河川等の水路を流れる固形物を捕捉する固形物捕捉システムに関する。
【背景技術】
【０００２】
近年、放射性物質（例えば、Ｃｓ１３７）によって、山林等、河川や農業用水路の水源となる箇所の土砂や有機固形物（葉、樹皮、枝等）が汚染される事態が問題となっている。水源が汚染されると、汚染された土砂や有機固形物（これらを纏めて以下「汚染物」と称する。）が河川や農業用水路に流れ込み、流れ込んだ汚染物が農地や海へ流出するため、水源のみならず、河川、農地、海も放射性物質で汚染されてしまう。
【０００３】
そこで、汚染物を含む水を固液分離して、汚染物を除去するバッチ式の固液分離装置が開発されている（例えば、特許文献１）。
【先行技術文献】
【特許文献】
【０００４】
【特許文献１】特開２０１４−７１０２５号公報
【発明の概要】
【発明が解決しようとする課題】
【０００５】
上記特許文献１のバッチ式の固液分離装置では、農地に連続的に水を供給することができないため実用的ではない。そこで、主水路から分岐され農地に接続された副水路に濾布（フィルタ）を設け、濾布で汚染物を捕捉する構成が考えられる。
【０００６】
しかし、濾布は、使用するにつれて、捕捉した汚染物で目詰まりを起こし、水を通過させる機能が低下してしまう。したがって、目詰まりを起こしそうになると、濾布を洗浄したり交換したりしなければならないが、濾布の洗浄や交換を試みて、使用済みの濾布を副水路から単に取り外すと、取り外している間に汚染物が農地に流れ込んでしまうという問題がある。
【０００７】
そこで本発明は、このような課題に鑑み、副水路から使用済みの濾布を取り外す際であっても汚染物の流出を防止することができる固形物捕捉システムを提供することを目的としている。
【課題を解決するための手段】
【０００８】
上記課題を解決するために、本発明の固形物捕捉システムは、主水路から分岐された、水とともに固形物が流れる副水路に着脱自在に設置され、固形物を捕捉する濾布と、副水路における濾布の上流側を封止する封止部と、を備えたことを特徴とする。
【０００９】
また、副水路は、複数の分割水路で構成され、濾布は、分割水路ごとに設けられ、封止部は、複数の分割水路のうち、少なくともいずれか１の分割水路を封止するとしてもよい。
【００１０】
また、濾布の上流と下流との水位差を導出する水位差導出部を備え、封止部は、水位差導出部が導出した水位差が予め定められた閾値以上である場合に、濾布が設けられた副水路を封止するとしてもよい。
【発明の効果】
【００１１】
本発明によれば、副水路から使用済みの濾布を取り外す際であっても汚染物の流出を防止することが可能となる。
【図面の簡単な説明】
【００１２】
【図１】固形物捕捉システムの使用形態を説明するための図である。
【図２】封止装置の具体的な構成を説明するための図である。
【図３】固形物捕捉装置の斜視図である。
【図４】図３のＩＶ矢視図である。
【図５】図３のＶ矢視図である。
【図６】固形物捕捉装置の変形例を説明するための図である。
【図７】フィルタ機能部の使用状況を説明するための図である。
【図８】越流装置を説明するための図である。
【図９】第１の変形例にかかる固形物捕捉システムを説明するための図である。
【図１０】第２の変形例にかかる固形物捕捉システムを説明するための図である。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１は、固形物捕捉システム１００の使用形態を説明するための図である。なお、図１を始め以下の図では、垂直に交わるＸ軸（水平方向）、Ｙ軸（水平方向）、Ｚ軸（鉛直上下方向）を図示の通り定義する。また、水の流れを白抜き矢印で示す。
【００１５】
図１に示すように、用水路（主水路）１０を流れる水は、用水路１０から分岐された支線水路（副水路）１２を介して農地２０に供給されることとなる。用水路１０や支線水路１２、河川等の水路の水源となる箇所の土砂や有機固形物（葉、樹皮、枝等）が放射性物質によって汚染されている場合、汚染された土砂や有機固形物（汚染物）が水とともに農地２０に流れ込み、農地２０が放射性物質で汚染されてしまう。
【００１６】
そこで、畦道２２に沿って設けられる支線水路１２に、固形物捕捉システム１００を構成するフィルタ機能部３２２（濾布）を設置して、水から汚染物を取り除く。しかし、フィルタ機能部３２２は、使用するにつれ、捕捉した汚染物が増加して目詰まりを起こし、水を通過させる機能が低下してしまう。したがって、目詰まりを起こしそうになると、フィルタ機能部３２２を洗浄したり交換したりしなければならなくなる。しかし、フィルタ機能部３２２の洗浄や交換を試みて、使用済みのフィルタ機能部３２２を支線水路１２から単に取り外すと、取り外している間に汚染物が農地に流れ込んでしまうという課題がある。
【００１７】
そこで、本実施形態では、支線水路１２から使用済みのフィルタ機能部３２２を取り外す際であっても、汚染物の農地２０への流出を防止する固形物捕捉システム１００について説明する。
【００１８】
図１に示すように、支線水路１２は、複数（ここでは、２つ）の分割水路１４（図１中、１４ａ、１４ｂで示す）で構成され、固形物捕捉システム１００は分割水路１４ごとに設けられている。また、固形物捕捉システム１００は、封止装置２００と、固形物捕捉装置３００と、越流装置４００とを含んで構成されている。封止装置２００は、固形物捕捉装置３００の上流側に、固形物捕捉装置３００は、越流装置４００の上流側に配される。したがって、分割水路１４を流れる水は、封止装置２００、固形物捕捉装置３００、越流装置４００をこの順で通過して、農地２０に導かれることになる。以下、各装置の具体的な構成について詳述する。
【００１９】
（封止装置２００）
封止装置２００は、分割水路１４における固形物捕捉装置３００の上流側に設けられ、分割水路１４を封止したり、封止を解除（開放）したりする。
【００２０】
図２は、封止装置２００の具体的な構成を説明するための図であり、図２（ａ）は、封止装置２００の封止状態を、図２（ｂ）は、封止装置２００の開放状態を示す。図２に示すように、封止装置２００は、スライド枠２１０と、封止部２２０と、駆動シャフト２３０と、ハンドル２４０とを含んで構成される。
【００２１】
スライド枠２１０は、金属製の枠であり、内側に形成された空間２１２に封止部２２０が鉛直方向（図２中、Ｚ軸方向）にスライド自在に配される。なお、スライド枠２１０の幅（図２中、Ｘ軸方向の幅）は、分割水路１４の幅（図１中、Ｘ軸方向の幅）と実質的に等しい寸法となっており、分割水路１４を流れる水および汚染物は、空間２１２を通って、封止装置２００の下流に配される固形物捕捉装置３００に導かれることとなる。
【００２２】
封止部２２０は、金属製の平板であり、スライド枠２１０に対して鉛直方向にスライド自在に設けられ、封止状態において水および汚染物を堰き止める機能を有する。封止部２２０の幅（図２中、Ｘ軸方向の幅）は、スライド枠２１０の幅未満かつ空間２１２の幅（図２中、Ｘ軸方向の幅）より大きい寸法となっており、封止部２２０の高さは分割水路１４の水位の最大値より高くなる寸法となっている。ここで、分割水路１４の水位の最大値は、例えば、降雨時等に想定される水位である。
【００２３】
駆動シャフト２３０は、外周にネジ溝が形成された金属製の棒であり、封止部２２０の上端に接続される。また、駆動シャフト２３０のネジ溝は、ハンドル２４０に設けられたネジ山と螺合し、ハンドル２４０が回転されることによって、駆動シャフト２３０が鉛直方向に移動する。
【００２４】
ハンドル２４０は、作業者の操作入力、または、不図示の電動機によって回転し、駆動シャフト２３０を介して、封止部２２０を鉛直方向にスライドさせる。ここでは、作業者の操作入力に応じてハンドル２４０を回転させる構成を例に挙げて説明する。
【００２５】
図２（ａ）に示す封止状態である封止装置２００を開放状態に移行させる場合、作業者は、ハンドル２４０を回転させ、駆動シャフト２３０を鉛直上方向に移動させて封止部２２０を鉛直上方にスライドさせる。こうして、スライド枠２１０が区画する空間２１２が開放され、水が空間２１２を横切って流れることとなる。
【００２６】
また、図２（ｂ）に示す開放状態である封止装置２００を封止状態に移行させる場合、作業者は、ハンドル２４０を回転させ、駆動シャフト２３０を鉛直下方向に移動させて封止部２２０を鉛直下方にスライドさせる。こうして、スライド枠２１０が区画する空間２１２が封止部２２０によって封止され、水が封止部２２０によって堰き止められることとなる。
【００２７】
封止装置２００を備える構成により、封止装置２００の下流側、すなわち、固形物捕捉装置３００に水を導いたり、水の流入を封止したりすることができる。したがって、固形物捕捉装置３００を構成するフィルタ機能部３２２を交換したり洗浄したりする場合に、封止装置２００を封止状態とすることができ、水とともに流れる汚染物が封止装置２００の下流側に流出してしまう事態を回避することが可能となる。これにより、汚染物が農地２０に流入することを防止することが可能となり、農地２０の汚染を抑制することができる。
【００２８】
また、図１に戻って説明すると、本実施形態では、分割水路１４ごとに封止装置２００を設けているため、例えば、一方の分割水路１４ａの固形物捕捉装置３００のフィルタ機能部３２２を交換する場合、分割水路１４ａの封止装置２００を封止状態とするとともに、他方の分割水路１４ｂの封止装置２００を開放状態とする。そして、分割水路１４ｂを介して農地２０に水を供給している間に、分割水路１４ａのフィルタ機能部３２２を交換する。これにより、汚染物が除去された水を連続的に農地２０に供給することが可能となる。
【００２９】
なお、農地２０へ大量の水の供給が必要である場合には、分割水路１４ａ、１４ｂに配された封止装置２００を両方とも開放状態としてもよいし、農地２０への水の供給が不要である場合には、分割水路１４ａ、１４ｂに配された封止装置２００を両方とも封止状態としてもよい。
【００３０】
（固形物捕捉装置３００）
図３〜図５は、固形物捕捉装置３００を説明するための図であり、図３は固形物捕捉装置３００の斜視図を、図４は図３のＩＶ矢視図を、図５は図３のＶ矢視図を示す。なお、図５中、水の流れを白抜き矢印で示し、汚染物を黒丸で示す。また、図４、図５中、理解を容易にするために、固定台３０２を省略し、図５中、フィルタ羽根３２０を３２０Ａ〜３２０Ｄで示す。
【００３１】
固形物捕捉装置３００は、シャフト３１０を含んで構成され、固定台３０２よって、シャフト３１０の軸心が分割水路１４の幅方向（図中、Ｘ軸方向）に延在するように設置される。シャフト３１０には、支持棒３１２を介して、複数（ここでは、４つ）のフィルタ羽根３２０が設けられている。
【００３２】
フィルタ羽根３２０は、シャフト３１０から径方向に立設するとともに、それぞれが、シャフト３１０の周方向に、予め定められた角度（ここでは、９０°）離隔して設けられる。フィルタ羽根３２０は、複数の孔が形成されたフィルタ機能部３２２を備えている。詳しくは後述するが、このフィルタ機能部３２２によって汚染物が捕捉されることとなる。
【００３３】
本実施形態において、フィルタ機能部３２２は、平板形状のフィルタが折り畳まれて構成されており、分割水路１４に設置された際、水の流れ方向（図中、Ｙ軸方向）に隆起および陥没する形状である。すなわち、フィルタ機能部３２２は、波板形状（コルゲート形状、蛇腹形状）であり、隆起部３２２ａおよび陥没部３２２ｂが水の流れと対面（水の流れ方向と対向）するように配される。
【００３４】
フィルタ機能部３２２を上記形状とする構成により、フィルタ機能部３２２を平板形状とする場合と比較して表面積を大きくすることができる。これにより、フィルタ機能部３２２の濾過面積を大きくすることができ、フィルタ機能部３２２の目詰まりを低減することが可能となる。
【００３５】
また、本実施形態において、フィルタ機能部３２２に形成された孔の孔径は、汚染物の平均粒径より小さく、例えば、０．５ｍｍ〜２ｍｍである。これにより、フィルタ機能部３２２は、効率よく汚染物を捕捉することができる。
【００３６】
また、フィルタ機能部３２２の高さ（図５中、フィルタ羽根３２０Ａのフィルタ機能部３２２のＺ軸方向の高さ）は、分割水路１４の水位の最大値より大きい寸法となっている。これにより、降雨時等であっても汚染物を確実に捕捉することが可能となる。
【００３７】
そして、図５（ａ）に示すように、４つのフィルタ羽根３２０のうち、少なくともいずれか１のフィルタ羽根３２０（例えば、フィルタ羽根３２０Ａ）のフィルタ機能部３２２が、水の流れ方向（図中、Ｙ軸方向）と対面する位置関係となるように配される。これにより、汚染物は、フィルタ機能部３２２によって捕捉され、水は、フィルタ機能部３２２を通過して下流に導かれることとなる。
【００３８】
また、フィルタ羽根３２０の外周面には、可撓性を有するゴム等で構成されたシール手段３３０が設けられている。シール手段３３０は、フィルタ羽根３２０と、分割水路１４を構成する壁部（少なくとも一部）との間をシールする。これにより、分割水路１４を流れる汚染物がフィルタ機能部３２２を迂回して下流に流出する事態を回避することができる。
【００３９】
回転手段３４０は、シャフト３１０に接続されたハンドルで構成され、作業者の操作入力を受け付ける。作業者による操作入力に応じて、回転手段３４０はシャフト３１０を回転させ、これによりフィルタ羽根３２０を回動させる。なお、回転手段３４０は、間欠的にシャフト３１０を回転させる。具体的に説明すると、フィルタ羽根３２０が汚染物を捕捉している間、回転手段３４０はシャフト３１０の回転を停止し、分割水路１４内に位置するフィルタ羽根３２０（汚染物を捕捉しているフィルタ羽根３２０Ａ）が目詰まりを起こしそうになると、まず、上記封止装置２００を封止状態とし、続いて、回転手段３４０は、シャフト３１０を回転させて当該フィルタ羽根３２０を水の上流側に向かうように（図５（ｂ）中矢印の方向に）回動させる。
【００４０】
これにより、分割水路１４内に位置し、汚染物を捕捉したフィルタ羽根３２０Ａを分割水路１４内から分割水路１４外へ移動させることができる。つまり、汚染物を分割水路１４内から取り除くことが可能となる。
【００４１】
そして、シャフト３１０を回転させて、新たなフィルタ機能部３２２の分割水路１４への設置が完了すると、封止装置２００を開放状態にして、農地２０への水の供給を開始することとなる。
【００４２】
また、上述したように、本実施形態にかかる固形物捕捉装置３００は、４つのフィルタ羽根３２０Ａ〜３２０Ｄを備えており、また、フィルタ羽根３２０それぞれが、シャフト３１０の周方向に９０°離隔して設けられている。つまり、面内方向が等しい１対のフィルタ羽根３２０Ａ、３２０Ｃと、当該フィルタ羽根３２０Ａ、３２０Ｃの面内方向と面内方向が直交する１対のフィルタ羽根３２０Ｂ、３２０Ｄとが固形物捕捉装置３００に設けられている。
【００４３】
したがって、汚染物を捕捉する間は、１対のフィルタ羽根３２０（例えば、フィルタ羽根３２０Ａ、３２０Ｃ）が、面内方向が鉛直方向となるように、他の１対のフィルタ羽根３２０（例えば、フィルタ羽根３２０Ｂ、３２０Ｄ）が、面内方向が水平方向となるように分割水路１４内に配される。
【００４４】
そして、図５（ｂ）に示すように、分割水路１４内に配されたフィルタ羽根３２０Ａが目詰まりを起こすときより予め定められた期間前に相当する所定の状態になったと判定されると、封止装置２００を封止状態にするとともに、回転手段３４０によってシャフト３１０が９０°回転される。そうすると、フィルタ羽根３２０Ａは、図５（ｂ）に示すフィルタ羽根３２０Ｂの位置に配されることとなる。つまり、フィルタ羽根３２０Ａは、面内方向が水平方向となるように回動される。そうすると、分割水路１４から取り除かれた汚染物に同伴された水は、自重で（重力によって）フィルタ羽根３２０Ａから落下することとなる。これにより、図５（ｂ）に示すフィルタ羽根３２０Ｂの位置において汚染物を乾燥させることができ、汚染物の処理量を低減することができる。
【００４５】
こうして、水が除去された汚染物は、作業者によって取り除かれることとなる。なお、図５に示すフィルタ羽根３２０Ｂの位置において、フィルタ機能部３２２の隆起部３２２ａおよび陥没部３２２ｂは、水の流れと直交し、かつ、作業者の位置（畦道２２の位置）に向かって延在している。これにより、作業者は、汚染物をスムーズにフィルタ機能部３２２から取り除くことができる。
【００４６】
また、固形物捕捉装置３００には、水の流れによるフィルタ羽根３２０の回動を制限するロック機構（不図示）が設けられている。ロック機構は、少なくともいずれか１つのフィルタ羽根３２０の面内方向が鉛直方向になっている状態（すなわち、いずれか１つのフィルタ羽根３２０の面内方向が水平方向になっている状態）で、回転手段３４０がシャフト３１０の回転を停止する際に機能し、回転手段３４０がシャフト３１０を回転させる際には機能が解除される。ロック機構を備える構成により、水の流れによってフィルタ羽根３２０が不用意に回動して、フィルタ羽根３２０と分割水路１４を構成する壁との間に間隙が形成され、分割水路１４を流れる汚染物がフィルタ機能部３２２を迂回して下流に流出する事態を回避することができる。
【００４７】
また、固形物捕捉装置３００には、フィルタ羽根３２０における回動方向前方から立設した受止部３５０が設けられている。受止部３５０を設けない場合、回転手段３４０によってフィルタ羽根３２０が分割水路１４の上方に回動された際に（図５中、フィルタ羽根３２０Ｃの位置に配された際に）、図５（ｂ）のフィルタ羽根３２０Ｂの位置において、十分排除されなかった汚染物が、再度分割水路１４に落下してしまう。そこで、受止部３５０を備える構成により、回転手段３４０によってフィルタ羽根３２０が分割水路１４の上方に回動された際に、フィルタ機能部３２２から脱落した汚染物を受け止めることができる。これにより、一旦分割水路１４から取り除いた汚染物の再度の落下を抑制することが可能となる。
【００４８】
また、受止部３５０に受け止められた汚染物は、作業者によって取り除かれることとなる。したがって、受止部３５０によって、図５のフィルタ羽根３２０Ｂの位置では取り切れなかった汚染物を重力によって集約することができ、残存した汚染物を容易にフィルタ機能部３２２から除去することが可能となる。
【００４９】
以上説明したように、本実施形態にかかる固形物捕捉装置３００によれば、シャフト３１０を回転させるといった簡易な動作で、分割水路１４（支線水路１２）を流れる汚染物等の固形物を効率よく捕捉することが可能となる。
【００５０】
（固形物捕捉装置３００の変形例）
上記実施形態では、フィルタ羽根３２０の外周面にシール手段３３０が設けられる構成を例に挙げて説明した。しかし、図６に示すように、分割水路１４の底面にシール手段３６０を設けた固形物捕捉装置３７０としてもよい。この場合、シール手段３６０は、フィルタ羽根３２０の回動軌跡に沿う形状とするとよい。これにより、フィルタ機能部３２２の回動中においても、分割水路１４を流れる汚染物がフィルタ機能部３２２を迂回して下流に流出する事態を確実に防止することができる。
【００５１】
（越流装置４００）
図７は、フィルタ機能部３２２の使用状況を説明するための図である。上述したように、汚染物を確実に捕捉するために、フィルタ機能部３２２の高さは、分割水路１４の水位の最大値より大きい。したがって、晴天時や曇天時等、最大値より水位が低い場合には、図７（ａ）に示すように、フィルタ機能部３２２における下端３２２ｃから所定の水位Ａまでしか使用されず（汚染物が捕捉されず）、所定の水位Ａからフィルタ機能部３２２の上端３２２ｄまでは、汚染物の捕捉にほとんど寄与しない。
【００５２】
そこで、本実施形態の固形物捕捉システム１００は、図７（ｂ）に示すように、固形物捕捉装置３００の下流側に越流装置４００を設けて、フィルタ機能部３２２の上流側の水位を上昇させる。
【００５３】
図８は、越流装置４００を説明するための図である。図８に示すように、越流装置４００は、角落とし堰（角落としゲート）４１０と、角材４２０とを含んで構成される。
角落とし堰４１０は、分割水路１４の幅方向（図８中、Ｘ軸方向）の両側に設けられた側壁４１２と、側壁４１２の下端同士を接続する底壁４１４と、側壁４１２に設けられ鉛直上下方向（図８中、Ｚ軸方向）に延在するガイド溝４１６とを含んで構成される。なお、角落とし堰４１０は、底壁４１４が分割水路１４の底から立設するように分割水路１４に設けられる。
【００５４】
角材４２０は、幅（図８中、Ｘ軸方向の幅）が、側壁４１２の幅（図８中、Ｘ軸方向の幅）と実質的に等しい寸法であり、厚み（図８中、Ｙ軸方向の厚み）が、ガイド溝４１６の幅（図８中、Ｙ軸方向の幅）と実質的に等しい寸法である。図８中、矢印で示すように、複数の角材４２０が、角落とし堰４１０のガイド溝４１６に挿入されると、複数の角材４２０によって壁４２２が形成されることになる。
【００５５】
そうすると、複数の角材４２０によって形成された壁４２２が、固形物捕捉装置３００を通過した水を堰き止めて固形物捕捉装置３００の上流側の水位を予め定められた水位に維持させるとともに、予め定められた水位以上の水を下流側に越流させる越流部として機能することになる。
【００５６】
越流装置４００を備える構成により、晴天時や曇天時等、最大値より水位が低い場合であっても、固形物捕捉装置３００の上流側の水位を上昇させることができ、フィルタ機能部３２２を上端３２２ｄ近傍まで使用することが可能となる。これにより、フィルタ機能部３２２における汚染物の捕捉に寄与する面積を増加させることができ、フィルタ機能部３２２を満遍なく利用することが可能となる。
【００５７】
また、本実施形態の越流装置４００は、ガイド溝４１６に挿入する角材４２０の数によって、壁４２２の鉛直方向の高さを可変とすることができる。これにより、固形物捕捉装置３００の上流側の水位を所望する水位まで上昇させることが可能となる。
【００５８】
（第１の変形例）
上記実施形態では、封止装置２００が、作業者の操作入力に応じてハンドル２４０を回転させ、封止部２２０をスライドさせて封止状態と開放状態とを切り換える構成を例に挙げて説明した。しかし、封止装置２００は、分割水路１４の水位に応じて封止状態と開放状態とを切り換えるとしてもよい。
【００５９】
図９は、第１の変形例にかかる固形物捕捉システム５００を説明するための図である。なお、図９中、信号の流れを破線の矢印で示し、水の流れを白抜き矢印で示す。
【００６０】
図９に示すように、固形物捕捉システム５００は、上記封止装置２００、固形物捕捉装置３００、越流装置４００に加えて、水位センサ５１０ａ、５１０ｂと、制御部５２０とを含んで構成される。なお、上述した固形物捕捉システム１００と実質的に等しい構成要素については、同一の符号を付して説明を省略し、ここでは、水位センサ５１０ａ、５１０ｂおよび制御部５２０について詳述する。
【００６１】
水位センサ５１０ａは、分割水路１４内に位置するフィルタ機能部３２２の上流の水位を測定し、水位センサ５１０ｂは、分割水路１４内に位置するフィルタ機能部３２２の下流の水位を測定する。
【００６２】
制御部５２０は、ＣＰＵ（中央処理装置）を含む半導体集積回路で構成され、ＲＯＭからＣＰＵ自体を動作させるためのプログラムやパラメータ等を読み出し、ワークエリアとしてのＲＡＭや他の電子回路と協働して、固形物捕捉システム５００全体を管理および制御する。本変形例において、制御部５２０は、水位差導出部５２２、駆動制御部５２４としても機能する。
【００６３】
水位差導出部５２２は、水位センサ５１０ａが測定したフィルタ機能部３２２の上流の水位と、水位センサ５１０ｂが測定したフィルタ機能部３２２の下流の水位との差分を導出する。
【００６４】
駆動制御部５２４は、水位差導出部５２２が導出した差分が予め定められた閾値以上となったか否かを判定し、閾値以上になったと判定すると、ハンドル２４０を回転制御して、駆動シャフト２３０を介して封止部２２０を鉛直下方にスライドさせ、封止装置２００を封止状態とする。
【００６５】
フィルタ機能部３２２が目詰まりを起こすと、フィルタ機能部３２２の上流の水位が下流の水位よりも高くなる。そこで、水位差導出部５２２が測定した上流と下流の水位差が閾値以上になると、駆動制御部５２４が封止装置２００を封止状態とすることで、フィルタ機能部３２２の交換時期の安定化を図ることが可能となる。
【００６６】
（第２の変形例）
上記実施形態において、越流装置４００は、作業者によってガイド溝４１６に挿入する角材４２０の数が設定されている場合を例に挙げて説明した。しかし、フィルタ機能部３２２の上流側の水位に応じて壁４２２の高さを制御してもよい。
【００６７】
図１０は、第２の変形例にかかる固形物捕捉システム６００を説明するための図である。なお、図１０中、信号の流れを破線の矢印で示し、水の流れを白抜き矢印で示す。
【００６８】
図１０に示すように、固形物捕捉システム６００は、上記封止装置２００、固形物捕捉装置３００、越流装置４００に加えて、水位検知部６１０と、制御部６２０とを含んで構成される。なお、上述した固形物捕捉システム１００と実質的に等しい構成要素については、同一の符号を付して説明を省略し、ここでは、水位検知部６１０および制御部６２０について詳述する。
【００６９】
水位検知部６１０は、分割水路１４内に位置するフィルタ機能部３２２の上流の水位を検知する。
【００７０】
制御部６２０は、ＣＰＵ（中央処理装置）を含む半導体集積回路で構成され、ＲＯＭからＣＰＵ自体を動作させるためのプログラムやパラメータ等を読み出し、ワークエリアとしてのＲＡＭや他の電子回路と協働して、固形物捕捉システム６００全体を管理および制御する。本変形例において、制御部６２０は、水位検知部６１０が測定したフィルタ機能部３２２の上流の水位が、予め定められた許容範囲となるような数の角材４２０をガイド溝４１６に挿入して、壁４２２の高さを制御する。
【００７１】
これにより、フィルタ機能部３２２の上流の水位を閾値に維持することができ、フィルタ機能部３２２を常に上端３２２ｄ近傍まで使用することが可能となる。
【００７２】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００７３】
例えば、上記実施形態において、分割水路１４ごとに封止装置２００が設けられる構成を例に挙げて説明した。しかし、支線水路１２が分割水路１４に分割されていない場合、１の支線水路１２に封止装置２００が設けられていてもよい。この場合、フィルタ機能部３２２の交換を試みて、封止装置２００を封止状態としても、封止装置２００によって堰き止められた水は用水路１０へ流れるため、汚染物が封止装置２００（封止部２２０）を乗り越えて農地２０に流入することはない。
【００７４】
また、上記実施形態において、濾布として固形物捕捉装置３００のフィルタ機能部３２２を例に挙げて説明した。しかし、濾布は、副水路に着脱自在に設置され、固形物を捕捉することができれば、形状に限定はない。
【００７５】
また、上記実施形態において、封止部として、封止装置２００といったスルーゲートの封止部２２０を例に挙げて説明した。しかし、封止部は、濾布の上流側を封止できれば、形状に限定はない。例えば、支線水路１２が２つの分割水路１４で構成される場合、封止部が、２つの分割水路１４の間に設けられたヒンジと、ヒンジに回動可能に設けられた扉体とを備え、扉体によって一方の分割水路１４を封止できる構成であってもよい。
【産業上の利用可能性】
【００７６】
本発明は、河川等の水路を流れる固形物を捕捉する固形物捕捉システムに利用することができる。
【符号の説明】
【００７７】
１００  固形物捕捉システム
１２  支線水路（副水路）
１４  分割水路
２２０  封止部
３２２  フィルタ機能部（濾布）
５２２  水位差導出部
【図１】
2016166492.tif 000003
【図２】
2016166492.tif 000004
【図３】
2016166492.tif 000005
【図４】
2016166492.tif 000006
【図５】
2016166492.tif 000007
【図６】
2016166492.tif 000008
【図７】
2016166492.tif 000009
【図８】
2016166492.tif 000010
【図９】
2016166492.tif 000011
【図１０】
2016166492.tif 000012